(57)【要約】【課題】簡素な構造且つコスト安にて、所望の足ツボを継続的に押圧刺激可能であると共に、使用中に移動することもでき、さらに、足裏の悪臭を消臭する、又は、足裏を保温することも可能な足裏用健康具を提供する。【解決手段】足裏の指付け根部位又は土踏まず部位等の押圧刺激に用いられる足裏用健康具αは、貫通容孔１１が空けられた円筒状パイプ１と、脱臭剤を主成分とし、パイプ１の貫通容孔１１内に詰込可能な円柱状に成形された消臭固形剤２と、消臭固形剤２が貫通容孔１１内に詰め込まれたパイプ１を足裏の指付け根部位又は土踏まず部位等に貼付固定する粘着シート３と、を具備する。【選択図】図１
2006296626.tif 000002
【特許請求の範囲】
【請求項１】
貫通容孔が空けられた筒状容体と、
当該筒状容体の当該貫通容孔内に詰込可能かつ脱臭剤及び／又は芳香剤を主成分とする消臭固形剤又は、空気に曝されると発熱する発熱性粉末剤の何れかと、
当該消臭固形剤又は当該発熱性粉末剤が前記貫通容孔内に詰め込まれた前記筒状容体を足裏の指付け根部位又は土踏まず部位を含む各ツボ部位に貼付固定するシート状の貼付粘着部材と、
を具備することを特徴とする足裏用健康具。
【請求項２】
前記足裏用健康具は、
前記消臭固形剤又は前記発熱性粉末剤が前記貫通容孔内に詰め込まれた前記筒状容体の両端部それぞれを通気性を保ちつつ塞ぐための２つの閉塞蓋を、さらに具備する、
ことを特徴とする請求項１に記載の足裏用健康具。
【請求項３】
前記筒状容体は、
金属、プラスチック、ゴム、紙、布の何れか１つの素材で加工・成形してなる、
ことを特徴とする請求項１又は２に記載の足裏用健康具。
【請求項４】
前記発熱性粉末剤は、
鉄粉、水、炭素、食塩を成分に含む、
ことを特徴とする請求項１に記載の足裏用健康具。
【請求項５】
前記貼付粘着部材は、
絆創膏又は湿布を代用してなる、
ことを特徴とする請求項１、２、３又は４に記載の足裏用健康具。
【発明の詳細な説明】
【技術分野】
【０００１】
本発明は、足裏の指付け根部位又は土踏まず部位にある足ツボの刺激に用いられる足裏用健康具に関し、詳細には、簡素な構造且つコスト安にて、所望の足ツボを継続的に刺激可能であると共に、使用中に移動することもでき、さらに、足裏の悪臭を消臭する、又は、足裏を保温することも可能な足裏用健康具に関する。
【背景技術】
【０００２】
東洋医学によれば、刺激されることで体調不良を軽減・解消可能な足ツボが足裏に多数存在することが知られている。特に現代人の多くが悩まされている目や内臓の不調・疾患を軽減・解消するのに適した足ツボは、足裏の指付け根部位や土踏まず部位に分布している。
【０００３】
このような事実に基づき、体調不良の軽減・解消を目的に足ツボを刺激するのに用いられる器具として、粒状の小磁石、又は点火された灸を足裏の指付け根部位や土踏まず部位にある所望の足ツボにシート状の粘着部材で貼付固定するという、貼付式治療具が知られている。
【特許文献１】実開昭６４−０３４０２５号公報
【０００４】
また、同様の目的に使用可能な器具として、粒状の小磁石を弾性部材に多数埋没させる、又は磁性を有する弾性素材を加工することで、多数の小突起状磁力源を表面に形成・点在させてなるシート状の粘着部材を、粘着性を有するその裏面側から足裏の指付け根部位や土踏まず部位にある所望の足ツボに貼付固定するという、マグネット健康刺激バンも知られている。
【特許文献２】実開昭６３−１５１１５６号公報
【発明の開示】
【発明が解決しようとする課題】
【０００５】
期待する効能を充分に得るためには、上述した各器具を継続して使用する必要がある。しかしながら、上記貼付式治療具（磁石採用）によれば、有する粒状小磁石が１個のみであるため、期待する効能が充分に得られる迄の期間が長期に亙り、この間、粘着部材が使用不可能になる都度、何度も貼り替えて使用しなければならず、極めて効率が悪く、不経済である。
【０００６】
また、上記貼付式治療具（灸採用）によれば、灸を構成する艾が短時間で燃え尽きるため、期待する効能が充分に得られる迄、灸を何度も取り替えなければならず、極めて効率が悪く、不経済である。加えて、艾の燃焼による灰を足裏や床等に落とさないようにするため、使用中は、足を殆ど動かせずに移動することもできず、また使用場所も限定されてしまう。さらに、使用回数が増すに連れて、対象の足ツボが火傷して、水脹れや火傷跡になることもある。
【０００７】
一方、上記マグネット健康刺激バンによれば、多数の小突起状磁力源それぞれの磁力が相俟って相乗的に人体に作用することから、期待する効能が充分に得られる迄の期間が上記貼付式治療具を用いる場合におけるよりも短いものの、それら小突起状磁力源の形成・点在が必須であるために、コスト高や構造複雑化を必然的に伴ってしまう。
【０００８】
そして、これ迄説明した何れの器具によっても、構造や使用目的から明らかなように、足裏の悪臭を消臭することや、足裏を保温することが当然できない。
【０００９】
ここにおいて、本発明の解決すべき主要な目的は、次の通りである。
【００１０】
即ち、本発明の第１の目的は、簡素な構造且つコスト安にて、足裏の指付け根部位又は土踏まず部位等にある所望の足ツボに足裏を直接又は靴下、スリッパ、履物等を介して床面や地面に体重を掛けて接する限り継続的に押圧刺激を与え得る足裏用健康具を提供せんとするものである。
【００１１】
本発明の第２の目的は、使用中、移動することが可能な足裏用健康具を提供せんとするものである。
【００１２】
本発明の第３の目的は、足裏の指付け根部位又は土踏まず部位等にある所望の足ツボを刺激しつつ、足裏の悪臭の消臭、又は、足裏の保温も可能な足裏用健康具を提供せんとするものである。
【００１３】
本発明の他の目的は、明細書、図面、特に特許請求の範囲の各請求項の記載から、自ずと明らかとなろう。
【課題を解決するための手段】
【００１４】
本発明足裏用健康具においては、脱臭剤及び／又は芳香剤を主成分とする消臭固形剤、又は、空気に曝されると発熱する発熱性粉末剤が貫通容孔に詰め込まれた筒状容体を足裏の指付け根部位又は土踏まず部位等に貼付粘着部材で貼付固定する、という特徴的構成手段を講じる。
【００１５】
さらに、具体的詳細に述べると、当該課題の解決では、本発明が次に列挙する上位概念から下位概念に亙る新規な特徴的構成手段を採用することにより、前記目的を達成するよう為される。
【００１６】
即ち、本発明足裏用健康具の第１の特徴は、貫通容孔が空けられた筒状容体と、当該筒状容体の当該貫通容孔内に詰込可能かつ脱臭剤及び／又は芳香剤を主成分とする消臭固形剤又は、空気に曝されると発熱する発熱性粉末剤の何れかと、当該消臭固形剤又は当該発熱性粉末剤が前記貫通容孔内に詰め込まれた前記筒状容体を足裏の指付け根部位又は土踏まず部位を含む各ツボ部位に貼付固定するシート状の貼付粘着部材と、を具備してなる、足裏用健康具の構成採用にある。
【００１７】
本発明足裏用健康具の第２の特徴は、上記本発明足裏用健康具の第１の特徴における前記足裏用健康具が、前記消臭固形剤又は前記発熱性粉末剤が前記貫通容孔内に詰め込まれた前記筒状容体の両端部それぞれを通気性を保ちつつ塞ぐための２つの閉塞蓋を、さらに具備してなる、足裏用健康具の構成採用にある。
【００１８】
本発明足裏用健康具の第３の特徴は、上記本発明足裏用健康具の第１又は第２の特徴における前記筒状容体が、金属、プラスチック、ゴム、紙、布の何れか１つの素材で加工・成形してなる、足裏用健康具の構成採用にある。
【００１９】
本発明足裏用健康具の第４の特徴は、前記発熱性粉末剤が、鉄粉、水、炭素、食塩を成分に含んでなる、足裏用健康具の構成採用にある。
【００２０】
本発明足裏用健康具の第５の特徴は、上記本発明足裏用健康具の第１、第２、第３又は第４の特徴における前記貼付粘着部材が、絆創膏又は湿布を代用してなる、足裏用健康具の構成採用にある。
【発明の効果】
【００２１】
本発明に係る足裏用健康具を足裏の指付け根部位又は土踏まず部位等に取り付けた状態で立ち上がると、地面を踏み付ける足の力の一部が足裏から足裏用健康具に加わり、その反作用が足裏用健康具から足裏に押圧力として加わることとなる。従って、かかる状態が続く限り、それらの部位にある所望の足ツボを継続的に、且つ、粒状小磁石１個のみを用いる場合よりも心地良い程度に強く押圧刺激することが可能であることから、期待する効能を短期間で効率良く充分に得ることができる。またこの間、足を動かしても一切不都合がないため歩行して移動することさえ可能であるだけでなく、足裏の悪臭を消臭する、又は、足裏を保温することも可能であり、特に足裏を保温する形態を採用すれば、それらの効果に付随して、温湿布効果も得られることとなる。さらに、以上説明した諸効果を得るためには、上述の簡素且つコスト安な構造を採用するだけで良く、極めて経済的である。
【００２２】
ここで、本発明の最良形態例を説明する前に、足裏の指付け根部位又は土踏まず部位等にある代表的な足ツボの名称及び効能について説明する。
【００２３】
東洋医学では、足裏における人差指付け根の膨らみにある足ツボを「裏内庭（うらないてい）」と呼ぶ。この裏内庭を適度に押圧刺激すると、胃凭れ等弱まった消化器が復調するだけでなく、酷い肩こり、乗り物酔い、暴飲暴食による吐き気や嘔吐、虫刺されや異物進入による腫れ，湿疹，かぶれ，蕁麻疹の痒み等も軽減・解消される。
【００２４】
また、足裏における人差指付け根の横紋真中にある「独陰（どくいん）」と呼ばれる足ツボを適度に押圧刺激すると、緊張や心配等精神的影響による動悸や息苦しさが軽減・解消されるだけでなく、狭心症発症者の治癒にも効果的である。この独陰の他、人差指又は中指の付け根にある「泉生足（せんせいそく）」と呼ばれる足ツボを適度に押圧刺激することによっても、動悸や不整脈、息切れが軽減・解消される。
【００２５】
一方、足裏の土踏まず部位にある「湧泉（ようせん）」と呼ばれる足ツボを適度に押圧刺激すると、冷え性、不眠、高血圧、眩暈等が軽減・解消され、足裏の土踏まず部位にある「足心（そくしん）」と呼ばれる足ツボを適度に押圧刺激すると、不眠、動悸、不整脈、息切れ等が軽減・解消される。他方、薬指と中指の付け根に亙る部位の足ツボを適度に押圧刺激すると足の脹ら脛の凝りを解消し疲れを癒す。
【００２６】
以上説明した、足裏の人差指付け根部位又は土踏まず部位又は薬指と中指の付け根に亙る部位には、リンパ腺（例えば、足の脹ら脛にあるリンパ腺）の凝り、内臓（例えば、胃，肝臓，腎臓，膵臓，十二指腸）の不調の軽減・解消に効果的な足ツボが多数分布している。
【発明を実施するための最良の形態】
【００２７】
以下、本発明の最良の形態につき、添付図面を参照しつつ、具体例を挙げて詳細に説明する。
【００２８】
（最良形態例１）
図１（ａ）は、本発明の第１最良形態例である足裏用健康具αの平面図、（ｂ）は、足裏用健康具αの（ａ）中Ｉ−Ｉ線視断面図、及び（ｃ）は、足裏用健康具αの正面図である。また、図２（ａ）は、足裏用健康具αの使用例を示す図、及び（ｂ）は、足裏用健康具αの別の使用例を示す図である。足裏用健康具αは、足裏の指付け根部位又は土踏まず部位にある足ツボを押圧刺激することで上述の効能を期待しつつ、足裏の悪臭を消臭するのに用いられる。
【００２９】
同図に図示の足裏用健康具αは、貫通容孔１１が空けられた円筒状容体であるパイプ１と、脱臭剤の代表たる活性炭を主成分とし、パイプ１の貫通容孔１１内に詰込充填可能な円柱状に成形された消臭固形剤２と、消臭固形剤２が貫通容孔１１内に詰め込まれたパイプ１を足裏の指付け根部位又は土踏まず部位に貼付固定する粘着シート３と、を具備することで構成される。
【００３０】
足裏用健康具αの構成要素であるパイプ１は、金属（例えば、ステンレススチール、アルミニウム）、硬質プラスチック、硬質ゴムを、踏み付けに耐え得る程度の耐久性を有する程度の円筒状に加工・成形されてなる。なお、パイプ１を、踏み付けに耐え得る程度の耐久性を有する硬質ロール紙や布を円筒状に加工・成形してなるとしても良い。この場合には、製造コストを格安にすることができるために、使捨可能の足裏用健康具αを提供することが可能となる。
【００３１】
また、パイプ１の外周面形状に、円筒外周面形状以外の面形状（例えば、長手方向と垂直な方向に関する断面縁形状が多角形である面形状）を採用することも可能であるものの、足裏用健康具αが足裏の指付け根部位又は土踏まず部位を過度に押圧刺激しないようにするためには、本最良形態例の円筒外周面形状又は楕円筒外周面形状（長手方向と垂直な方向に関する断面縁形状が楕円である面形状）を採用する方が望ましい。
【００３２】
一方、パイプ１に空けられる貫通容孔１１の容孔形状には、何ら制限が課されないものの、加工の簡易さ等の観点に鑑みると、本最良形態例の円柱状が採用される方が望ましい。貫通容孔１１に詰め込まれる消臭固形剤２の固形成形形状についても同様である。
【００３３】
本最良形態例では、消臭固形剤２が貫通容孔１１内に詰め込まれたパイプ１の両端部を、それぞれに外嵌接着又は溶着可能な閉塞蓋４，４で通気性を保ちつつ塞ぐようになっている。これにより、パイプ１の貫通容孔１１に一旦詰め込まれた消臭固形剤２が不用意に抜け落ちるのを防止できる。なお、通気性を有する閉塞蓋４の実現には、例えば、パイプ１の外径と同程度の内径を有する既存の蓋の底部を網状部材（例えば、目の粗い布や金網やプラスチック繊維）４１に取り替えてなる部材を利用すれば良い。
【００３４】
足裏用健康具αの構成要素である消臭固形剤２は、固形の場合既に述べたように、活性炭を主成分とする部材を、パイプ１の貫通容孔１１と略同形の円柱状に成形されてなる。活性炭は、吸着性の良い微細孔（その大きさは原子又は分子レベル）を多数有しており、悪臭を放つ原子や分子をその微細孔に吸着・保持することで消臭を果たす。かかる消臭性を得るためには、消臭固形剤２の主成分に、活性炭の代わりに、例えば、所定の加熱処理が施されたゼオライト粉末を採用しても良い。何れを主成分としても、消臭固形剤２の消臭力が切れたら、新しいものに詰め替えることで、足裏用健康具αを何度でも使い回すことができる。
【００３５】
なお、消臭固形剤２の主成分を、脱臭剤の代わりに、芳香剤（例えば、シリカゲル，ナフタレン，パラジクロロベンゼン）としても良い。この場合には、消臭固形剤２が良好な香りを、閉塞蓋４の網状部材４１の網目を通して周囲に放つことにより、足裏の悪臭が消臭されることとなる。また、消臭固形剤２の主成分に、脱臭剤と芳香剤の両方、又は、脱臭性と芳香性の双方を有する薬剤を採用すれば、足裏の悪臭をより効果的に消臭することが可能となる。
【００３６】
足裏用健康具αの構成要素である粘着シート３は、一方の面だけが粘着面３１となった薄紙形状の貼付粘着部材である。粘着シート３は、粘着面３１上の適当な部位にパイプ１（消臭固形剤２を詰込済み）を接着・担持しつつ、足裏の指付け根部位又は土踏まず部位に貼り付くことでパイプ１をそれらの部位に固定する。ここで、図１（ａ）〜（ｃ）に図示されるパイプ１の粘着面３１による担持形態は、一例であって、図２（ａ），（ｂ）に図示されるように、足裏におけるパイプ１の貼付・固定部位に応じて変えても良いことは言うまでもない。
【００３７】
なお、粘着シート３に多数の微細な通気孔（図示せず）を空けて、良好な通気性を持たせても良い。このようにすれば、足裏と足裏用健康具αとの間の空気や汗が行き場を失って澱み、悪臭を放つようになるのを抑えることが可能となる。また、粘着シート３の粘着面３１の粘着力を長期に亙って良好に保つために、粘着シート３が粘着面３１に剥離可能な剥離紙（図示せず）を有することとしても良い。
【００３８】
（最良形態例２）
図３（ａ）は、本発明の第２最良形態例である健康足裏用具βの平面図、（ｂ）は、足裏用健康具βの（ａ）中ＩＩＩ−ＩＩＩ線視断面図、及び（ｃ）は、足裏用健康具βの左側面図である。足裏用健康具βは、足裏の土踏まず部位にある足ツボを刺激することで前述の効能を期待しつつ、足裏を保温するのに用いられる。なお、足裏用健康具βを、足裏の指付け根部位に取り付けることも可能である。
【００３９】
同図に図示の足裏用健康具βは、パイプ１の貫通容孔１１内に詰め込まれるのが、空気に曝されると発熱する発熱性粉末剤５であることと、第１の最良形態例における粘着シート３の代わりに粘着シート６を採用することが、第１の最良形態例たる足裏用健康具αと異なる点である。なお、足裏用健康具βの構成要素であるパイプ１の素材には、第１の最良形態例における場合よりも限定されて、プラスチック、樹脂、布、不燃紙等が採用される。
【００４０】
足裏用健康具βの構成要素である発熱性粉末剤５は、所望の期間（例えば、３時間）に亙り所望の温度（例えば、４５度）に発熱するように、鉄粉、水、炭素、食塩を成分に含んでなる。要するに、発熱性粉末剤５は、既存のカイロの中身と同様又は類似のものであり、これに含まれる鉄粉が空気に曝されると、食塩の触媒作用を受けつつ、炭素により、酸素及び水と速やかに反応・発熱することで水酸化鉄となる。このときの発熱が足裏の保温に利用されることとなる。そこで、発熱性粉末剤５の発熱力が切れたら、即ち、発熱性粉末剤５の寿命が来たら、新しいものに詰め替えることで、足裏用健康具βを何度も使い回すことができ、また、布等の格安な素材でパイプ１を得ることで、足裏用健康具βを使捨可能とすることができる。
【００４１】
なお、足裏用健康具βの構成要素である２つの閉塞蓋４，４の底部を網状部材４１とすることで、これら閉塞蓋４，４の通気性を確保する場合には、その網状部材４１の網目が、発熱性粉末剤５を通さない一方、空気を通す程度の大きさであることが必要である。ここで、パイプ１の素材に網目の細かい布を採用すると、この布自体も空気だけを通すことから、足裏用健康具βの通気性が増すこととなり、発熱性粉末剤５の発熱効率を上げることが可能となる。
【００４２】
足裏用健康具βの構成要素である粘着シート６は、パイプ１を足裏の土踏まず部位に安定して貼付・固定するために、第１の最良形態例における粘着シート３よりも表面積が大きいと共に、一方の面だけが粘着面６１となった薄紙形状の貼付粘着部材である。粘着シート６は、粘着面６１上の適当な部位にパイプ１（発熱性粉末剤５を詰込済み）を接着・担持しつつ、足裏の土踏まず部位に貼り付くことでパイプ１をその部位に固定する。
【００４３】
なお、第１の最良形態例におけるのと同様、粘着シート６に多数の微細な通気孔（図示せず）を空けて、良好な通気性を持たせても良い。このようにすれば、足裏と足裏用健康具βとの間における空気や汗が行き場を失って澱み、悪臭を放つようになるのを抑えることが可能となる。また、粘着シート６の粘着面６１の粘着力を長期に亙って良好に保つために、粘着面６１に剥離可能な剥離紙（図示せず）を有することとしても良い。
【００４４】
以上、本発明の最良の形態について説明してきたが、本発明は、必ずしも上述の手段のみに限定されず、前述の効果を達成する範囲内で、適宜変更実施可能であり、例えば、粘着シート３に既存の絆創膏や湿布を採用すれば、かかる効果に加えて、除菌効果や鎮痛効果をも同時に得ることができる。また、本最良形態例の貼付固定部材を専ら足裏の人差指付け根部位、土踏まず部位を説明して来たがこれに限定されず、薬指と中指に亙る付け根部位のツボ部位に貼付固定しても良いことは明らかである。
【図面の簡単な説明】
【００４５】
【図１】（ａ）は、本発明の第１の最良形態例である足裏用健康具の平面図、（ｂ）は、この足裏用健康具の（ａ）中Ｉ−Ｉ線視断面図、及び（ｃ）は、この足裏用健康具の正面図である。
【図２】（ａ）は、図１に図示の足裏用健康具の使用例を示す図、及び（ｂ）は、この足裏用健康具の別の使用例を示す図である。
【図３】（ａ）本発明の第２の最良形態例たる足裏用健康具の平面図、（ｂ）は、この足裏用健康具の（ａ）中ＩＩＩ−ＩＩＩ線視断面図、及び（ｃ）は、この足裏用健康具の正面図である。
【符号の説明】
【００４６】
α，β・・・足裏用健康具
１・・・パイプ（筒状容体）
１１・・・貫通容孔
２・・・消臭固形剤
３，６・・・粘着シート（貼付粘着部材）
３１，６１・・・粘着面
４・・・閉塞蓋
４１・・・網状部材
５・・・発熱性粉末剤
【図１】
2006296626.tif 000003
【図２】
2006296626.tif 000004
【図３】
2006296626.tif 000005